(57)【要約】      （修正有）【課題】コップの内側や重なった皿など、光が届きにくい食器具及び調理器具類に、光触媒作用を発現させる光を照射可能な収容器具を提供する。【解決手段】収容器具１は、導光体からなる網状に組まれたフレーム１０を有し、フレーム１０は、網状の底部１１ａから略上方向へ延出する棒形状の係止部１２と、底部１１ａや側部１１ｂから略横方向へ延出する係止部１３を有している。コップ９１の内側、重なった皿９２や箸９３のように光が届き難いような部分にも、フレーム１０が近接して光を出射することで、万遍なく光照射を行うことができる。【選択図】図１
0003187470.tif 000002
【実用新案登録請求の範囲】
【請求項１】
食器具及び調理器具の収容器具であって、
少なくとも一部が、導光体で形成されていること
を特徴とする食器及び調理器具の収容器具。
【請求項２】
請求項１に記載の収容器具であって、
前記導光体に光を供給する照明を有するよう形成されていること
を特徴とする食器及び調理器具の収容器具。
【請求項３】
請求項１または２に記載の収容器具であって、
前記導光体は、かご形状に形成されていること
を特徴とする食器及び調理器具の収容器具。
【請求項４】
請求項１または２に記載の収容器具であって、
前記導光体は、幹部と枝部からなる樹形状に形成されていること
を特徴とする食器及び調理器具の収容器具。
【請求項５】
請求項３に記載の収容器具を内部に収容するよう形成されていること
を特徴とする食器洗い機。
【請求項６】
請求項５に記載の食器洗い機であって、
洗浄漕内に照明を有するよう形成されていること
を特徴とする食器洗い機。
【請求項７】
請求項６に記載の食器洗い機であって、
前記照明が、前記収容器具の有する導光体に近接するよう形成されていること
を特徴とする食器洗い機。
【請求項８】
請求項６に記載の食器洗い機であって、
前記照明が、噴射される水を照射するよう形成されていること
を特徴とする食器洗い機。
【請求項９】
請求項５に記載の食器洗い機であって、
洗浄漕内に光を取り込む窓を有するよう形成されていること
を特徴とする食器洗い機。
【考案の詳細な説明】
【技術分野】
【０００１】
本考案は、食器具及び調理器具を収容する、収容器具に関する。
【背景技術】
【０００２】
光触媒を用いることによって、優れたガス分解性や抗菌作用、超親水効果を付与する技術が知られている。従来、光触媒は紫外光にのみ反応する紫外光応答型の酸化チタン系が主流であったため、その利用は主に住宅の外壁材や窓ガラス等の用途に限られていた。
【０００３】
しかしながら近年では、紫外光を含まない可視光でも効果を発揮する可視光応答型光触媒の開発が進められており、特に光吸収帯域の範囲を広げることで室内の低照度の環境でも効果を得られる光触媒が知られている（特許文献１）。
【０００４】
このような技術により、可視光応答型光触媒を、室内で用いる食器具や調理器具等に応用する事が可能となっている。例えば、キッチン製品の表層を光触媒コーティングすることによって、光触媒の殺菌・抗菌・消臭・防汚等の作用を利用し、超親水性による洗浄の容易化を図る技術が知られている（特許文献２）。
【先行技術文献】
【特許文献】
【０００５】
【特許文献１】特開２００９−２３３６５５号公報
【特許文献２】特開２００６−２３９４８９号公報
【考案の概要】
【考案が解決しようとする課題】
【０００６】
ところが、キッチン製品に必ずしも光を照射し得ることが可能であるとは限らない。特に、コップの内側や重なった皿等の場合は、例え可視光であっても、光触媒作用を発揮するのに必要な照度を満足させるだけの光をあてることは難しい。
【０００７】
そこで本考案は、食器具及び調理器具類に、光触媒作用を発現させる光を照射可能な収容器具を提供することを目的とする。
【課題を解決するための手段】
【０００８】
上記課題を解決するために、本考案の収容器具は、食器具及び調理器具の収容器具であって、少なくとも一部が導光体で形成されていることを特徴とする。
【０００９】
また、本考案の他の例としては、上記導光体に、光を供給する照明を有するよう形成されていることを特徴とする。
【００１０】
さらに本考案の他の例では、前記導光体は、かご形状に形成されていることを特徴とする。
【００１１】
さらに本考案の他の例では、前記導光体は、幹部と枝部からなる樹形状に形成されていることを特徴とする。
【００１２】
また、本考案の他の態様としては、本考案の収容器具は、上記かご形状の収容器具を、内部に収容するよう形成されている食器洗い機であることを特徴とする。
【００１３】
さらに本考案の他の例では、上記食器洗い機の洗浄漕内に、照明を有するよう形成されていることを特徴とする。
【００１４】
さらに本考案の他の例では、上記照明が、上記かご形状の収容器具の有する導光体に近接するよう形成されていることを特徴とする。
【００１５】
さらに本考案の他の例では、上記照明が、噴射される水を照射するよう形成されていることを特徴とする。
【００１６】
さらに本考案の他の例では、上記食器洗い機の洗浄漕内に、光を取り込む窓を有するよう形成されていることを特徴とする。
【考案の効果】
【００１７】
本考案によれば、食器具及び調理器具類に、光触媒作用を発現させる光を照射可能な収容器具を提供できる。
【図面の簡単な説明】
【００１８】
【図１】本考案の第一の実施形態に係る収容器具１の斜視図である。
【図２】収容器具１の変形例１に係る収容器具１ａの斜視図である。
【図３】収容器具１の変形例１に係る収容器具１ｂの斜視図である。
【図４】本考案の第二の実施形態に係る収容器具２の斜視図である。
【図５】収容器具２の変形例１に係る収容器具２ａの斜視図である。
【図６】本考案の第三の実施形態に係る収容器具３の斜視図である。
【図７】収容器具３の変形例１に係る収容器具３ａの斜視図である。
【図８】本考案の第四の実施形態に係る収容器具４の斜視図である。
【図９】収容器具４のＡ−Ａ’断面を矢印方向から見た断面図である。
【図１０】収容器具１を組み合わせた収容器具４の斜視図である。
【図１１】収容器具４の変形例１に係る収容器具４ａの斜視図である。
【図１２】収容器具４の変形例２に係る収容器具４ｂの斜視図である。
【図１３】収容器具４の変形例３に係る収容器具４ｃの斜視図である。
【考案を実施するための形態】
【００１９】
本考案の実施の形態について、以下、図に基づいて説明する。
【００２０】
＜第一の実施形態＞
図１は、本考案の第一の実施形態に係る収容器具１の斜視図である。以下、収容器具に収容される食器具や調理器具類（図１においては、コップ９１、皿９２、箸９３）は、全て光触媒作用を有しているものとして説明する。なお、収容器具そのものが光触媒作用を有していてもよいものとする。
【００２１】
図１に示すように、本考案の一態様に係る収容器具１は、網状に組まれたフレーム１０からなる、方形かご型の食器収容器具である。なお、プラスチックやステンレスワイヤー等からなる一般的な水切りかごとは異なり、収容器具１のフレーム１０は、導光機能の備わる導光体から形成されている。導光体は例えば、内面反射作用を有するアクリル樹脂等の透明樹脂であり、入射光を効率よく導いて円筒状の全面から出射する。これにより、導光体は面発光によって略全周囲を照射することが可能である。なお、導光体に集光材を含有させてもよい。
【００２２】
また、フレーム１０は、網状の底部１１ａから略上方向へ延出する棒形状の係止部１２を有している。このような係止部１２もフレーム１０と同様の導光体から形成されており、底部１１に接合されていてもよいし、一体に成型された構成であってもよい。なお、係止部１２は、例えばコップ９１を被せるように伏せ置いたり、皿等を立て掛けたりして利用することが可能な形状となっている。なお、導光体は表面を鏡面仕上げするなどして内面で全反射により導光させてもよい。また、食器に近接する付近では表面を梨地仕上げやブラスト仕上げ等することによって、光が導光体の表面から散乱光として放出される構造としてもよい。
【００２３】
さらに、フレーム１０は、底部１１ａや側部１１ｂから略横方向へ延出する係止部１３を有している。このような係止部１３についてもフレーム１０と同様の導光体からなり、底部１１ａや側部１１ｂに接合されていてもよいし、一体に成型された構成であってもよい。なお、係止部１３は、例えば皿９２をその間に挟むことで、立て掛けて置くことが可能な形状となっている。
【００２４】
また、収容器具１は、側部に取り外し可能な箸立て１４を有していいてもよい。箸立て１４についても、フレーム１０と同様の導光体で形成されていることが望ましい。箸立て１４には、箸やその他の食器具及び調理器具等を差して保持することができる。なお、箸立て１４は取り外し可能な構成としてもよい。
【００２５】
このような構成の収容器具１によれば、コップ９１の内側、重なった皿９２や箸９３のように光が届き難いような部分にも、フレーム１０が近接して光を出射することで、万遍なく光照射を行うことができる。その結果、食器具や調理器具全体に光が行きわたり、光触媒作用が発揮されるのに十分な照度を確保することが可能となる。
【００２６】
なお、導光体は導光性に優れる素材であればどのような材料を用いてもよいが、アクリル樹脂のように加工性、軽量性、耐熱性、安全性に優れる材料であることが望ましい。特に加工性に優れた材料を用いる場合には、フレーム１０と係止部１２及び係止部１３、及び箸立て１４等を一体成型することで、連続的な形状として製造することが可能となる。このような成型方法によれば、入射光が接合部で発散することが無いため、より隅々までの導光が可能となる。
【００２７】
＜変形例１＞
次に、本考案の第一の実施形態の変形例１に係る収容器具１ａについて説明する。以下、上述の実施形態と同様の構成を有するものについては同様の符号を付し、詳細な説明は省略する。
【００２８】
図２は、変形例１に係る収容器具１ａの斜視図である。図２に示すように、収容器具１ａは、照明１５を有している点で、収容器具１とは異なる。
【００２９】
具体的に、照明１５は、例えば白色ＬＥＤ等の可視光を照射可能な照明具である。このような照明１５はフレーム１０の角部や分岐部等に設けられており、導光体をより強力に発光させる。なお、このような照明１５は、コンセント等から直接電力を得てもよく、また、電池から電力を得る構成としてもよい。
【００３０】
このような構成により、変形例１に係る収容器具１ａによれば、暗所においても食器具及び調理器具により万遍なく光を照射することが可能となる。特に、係止部１２や１３の分岐部に設けることで、食器具の内部まで十分な強度の光を届けることができる。
【００３１】
＜変形例２＞
次に、本考案の第一の実施形態の変形例２に係る収容器具１ｂについて説明する。図３は、変形例２に係る収容器具１ｂの斜視図である。図３に示すように、収容器具１ｂは、収容器具１（或いは１ａ）に、水受け１６を組み合わせたものである。
【００３２】
具体的に、水受け１６は、表面が光反射能を有する略板状の受け皿である。このような水受け１６には例えば、表面が鏡面仕上げされた金属等が利用可能である。なお、その反射率が大きいほど導光体に強い入射光を供給し、またその出射光を反射して食器具及び調理器具へと照射することが可能となる。
【００３３】
このような構成により、変形例２に係る収容器具１ｂによれば、より効率的に、食器具及び調理器具に光触媒作用が発揮されるのに十分な照度を確保することが可能となる。
【００３４】
＜第二の実施形態＞
次に、本考案の第二の実施形態に係る収容器具２について説明する。図４は、本考案の第二の実施形態に係る収容器具２の斜視図である。
【００３５】
収容器具２は、導光体としてのフレーム２０と、台座２２と、を有する食器収容器具である。フレーム２０は、ここでは樹形状の導光棒からなり、台座２２に対して略垂直に形成される棒状の幹部２１ａと、幹部２１ａから分岐した上向きの枝部２１ｂと、を有している。このような枝部２１ｂには、図示するようにコップ９１を挿し込んで掛けおくことができる。
【００３６】
台座２２は、中央が凹んだ円柱状であり、中心である凹部の最下点に、幹部２１ａが設けられている。また、台座２２は、その表面が光反射能を有していることが望ましい。
【００３７】
このような構成により、収容器具２は、コップ９１の内部まで導光体によって十分な照度を確保することができる。また、台座２２の形状によって幹部２１ａへの入射光が効率的に集光されるため、枝部２１ｂはより強度の高い光を出射することができる。
【００３８】
なお、第一の実施形態と同様に、幹部２１ａ及び枝部２１ｂは、接合されていてもよいし、一体成型されていてもよい。
【００３９】
＜変形例１＞
次に、本考案の第二の実施形態の変形例１に係る収容器具２ａについて説明する。図５は、変形例１に係る収容器具２ａの斜視図である。図５に示すように、収容器具２ａは、照明２５を有している点で、収容器具２とは異なる。
【００４０】
具体的に、照明２５は、幹部２１ａの台座２２との接続部に設けられており、照射光は幹部２１ａの延びる方向へと向けられている。このような照射光は幹部２１ａ或いは枝部２１ｂから出射され、
各部が面発光することで、コップ９１の内部でも十分な照度が確保される。
【００４１】
なお、台座２２はここでは凹部が形成されておらず、円柱状であるものとする。また台座２２の内部には、照明２５用の電池を内蔵してもよく、さらに照明２５をオン／オフするためのスイッチ２６を備える構成としてもよい。
【００４２】
＜第三の実施形態＞
次に、本考案の第三の実施形態に係る収容器具３について説明する。図６は、本考案の第三の実施形態に係る収容器具３の斜視図である。
【００４３】
収容器具３は、方形の刃物収容器具である。なお、本実施形態に係る収容器具３は四角柱型の筐体３０を有しており、筐体３０はアクリル樹脂等の光透過性の高い材料からなる。また、その上面３１には複数の差し穴３２が設けられている。差し穴３２は、その短手方向の幅が一般的な調理包丁やナイフの刃よりも広く、持ち手よりも狭く形成されており、刃物９４の刃を差し込んだ場合に持ち手部分が引っ掛かることにより、刃物９４が安定的に保持されるようになっている。
【００４４】
このような構成により、収容器具３は、内部の刃にまで十分な光量を確保することが可能である。なお、上面３１のみが光透過性を有し、他の面（側面及び底面）は、内部表面が反射率の高い鏡面仕上げ等を施された金属等からなる構成としてもよく、また、側面の少なくとも一部が光透過性を有する構成としてもよい。これにより、光透過性を有する部位から入射した光が内部で反射することにより、内部の刃に光を照射することが可能となる。
【００４５】
＜変形例１＞
次に、本考案の第三の実施形態の変形例１に係る収容器具３ａについて説明する。図７は、変形例１に係る収容器具３ａの斜視図である。図７に示すように、収容器具３ａは、筒状の筐体３０と照明３５を有している点で、収容器具３とは異なる。
【００４６】
具体的に、収容器具３ａは、内部表面が反射率の高い鏡面仕上げ等を施された金属等からなる、円柱形状の筐体３０を有している。なお、筐体３０の上面３１には、円の中心から延びる放射状の差し穴３２が複数形成されており、ここに刃物９４を円形に掛けることが可能な構成となっている。
【００４７】
また、収容器具３ａの底面３３の円の中心部には、照明３５が設けられている。照明３５は、照明２５と同様に可視光を照射することが可能な白色ＬＥＤ等の照明具である。さらに底面３３には、照明３５をオン／オフするためのスイッチ３６を備えていてもよい。
【００４８】
このような構成によれば、収容器具３ａは、照明３５により筐体３０の内部に光を照射することができる。また、刃物９４が円形に収容されており、さらに照明３５からの光は底面３３の円の略中心から照射されるため、照射光は他の刃物９４に遮られることなく、各刃の隅々にまで光を届けることができる。
【００４９】
＜第四の実施形態＞
次に、本考案の第四の実施形態に係る収容器具４について説明する。図８は、本考案の第四の実施形態に係る収容器具４の斜視図、図９は、収容器具４のＡ−Ａ’断面を矢印方向から見た断面図である。
【００５０】
図８及び９に示すように、収容器具４は、食器洗い機型の食器収容器具である。収容器具４には、洗浄漕４０の内部に、図示しないヒータで温められた熱風を吹き込む風口４１と、熱水を吹き出して食器を洗浄する洗浄ノズル４２と、排水口４３と、食器を収容するかごをガイドするガイドレール４４と、洗浄漕４０内を照らす照明４５と、蓋４６と、を有する。
【００５１】
照明４５は、本例においては洗浄漕４０の上面部に一ヵ所設けられており、例えば白色ＬＥＤ等の可視光を照射可能な照明具である。このような照明４５が食器の洗浄中等に洗浄漕４０内を照射することにより、洗浄漕４０内に収容される食器具及び調理器具は光触媒作用を発現し、効率のよい食器洗浄や乾燥を行うことができる。また、洗浄漕４０の内部表面に光触媒コーティングを施しておくことで、庫内をも衛生的に保つことが可能である。
【００５２】
また、食器を収容するかごには、上記の収容器具１を利用することができる。図１０は、収容器具４に収容器具１を組み合わせた場合の斜視図である。収容器具１のフレーム１０は、ガイドレール４４にガイドされて洗浄漕４０内に安定的に設置され、導光体に照明４５からの光が入射するとフレーム１０全体が面発光する。これにより、混み合った食器具や調理器具の隅々まで光を照射することが可能となる。
【００５３】
＜変形例１＞
次に、本考案の第四の実施形態の変形例１に係る収容器具４ａについて説明する。図１１は、変形例１に係る収容器具４ａの斜視図である。図１１に示すように、収容器具４ｂは、洗浄漕４０内に照明４５が複数設けられている点で、収容器具４とは異なる。
【００５４】
具体的に、収容器具４ａの照明４５は、洗浄漕４０内の底面、側面、上面、蓋面にそれぞれ複数個設けられている。本例においては、特に食器具や調理器具で混み合う洗浄漕４０の下側部に多くが設けられている。またその配置は、収容器具１を用いた際に、そのフレーム１０に照明４５が近接するようになっていることが望ましい。このような構成により、フレーム１０の導光体により多くの光を入射させることができる。
【００５５】
なお、このような場合には、収容器具１のフレーム１０の底部１１ａや側部１１ｂ（図１参照）は、棒状ではなく、断面が平面部とアーチ部からなる半円形状（かまぼこ型）となる導光体としてもよい。その際に、平面部が外側を向くようフレーム１０を成型することで、入射光を受け易い平面部側を照明４５に近接させることができる。これにより、より効率的に、導光体に光を供給することができる。
【００５６】
＜変形例２＞
次に、本考案の第四の実施形態の変形例２に係る収容器具４ｂについて説明する。図１２は、変形例２に係る収容器具４ｂの斜視図である。図１２に示すように、収容器具４ｂは、照明４５に替えて、洗浄漕４０の上面に窓４７が設けられている点で、収容器具４とは異なる。
【００５７】
具体的に、収容器具４ｂの窓４７は、例えばアクリル樹脂等の光透過性を有する材料からなる板状部材が嵌め込まれてなる。なお、窓４７の位置は必ずしも天井に限らず、例えば側面や蓋４６に設けられていてもよい。またその数も１つである必要はなく、複数個設けてもよい。
【００５８】
このような構成により、収容器具４ｂは、窓４７が外部から洗浄漕４０内へと光を取り込むことで庫内に光が供給され、食器具及び調理器具に光を照射することが可能である。
【００５９】
＜変形例３＞
次に、本考案の第四の実施形態の変形例３に係る収容器具４ｃについて説明する。図１３は、変形例３に係る収容器具４ｃの斜視図である。図１３に示すように、収容器具４ｃは、照明４５が、洗浄ノズルに４２に設けられている点で、収容器具４とは異なる。
【００６０】
具体的に、洗浄ノズル４２には水（熱水）の噴射口４８が複数備えられている。本例では、この各噴射口４８それぞれに対して、少なくとも１つ以上の照明４５が設けられている。このような照明４５が噴射される水を照射することで、光は水を導光体として伝わり、水が壁や洗浄物にぶつかってはじけた先で拡散し、洗浄漕４０全体に照射される。従って照明４５は、水の噴射方向へ向けられていることが望ましい。また、ノズルは自動、自立などの回転体で有ってもよい。また、光がノズルの中の水により導光されるように、ノズルの内面を反射面で形成してもよい。
【００６１】
このような構成により、収容器具４ｃは、水により導かれた光が庫内全体に拡散することで、食器具及び調理器具等の隅々にまで光を届けることが可能である。
【００６２】
以上、本考案の実施形態及びその変形例について説明した。なお、上記の実施形態及び変形例は、本発明の要旨を例示することを意図し、本考案を限定するものではない。本考案の技術的思想の範囲内でさらなる様々な変形が可能である。また、上記各実施形態や変形例における各特徴をそれぞれ組み合わせて用いることもできる。
【００６３】
例えば、食器洗い機は必ずしも独立型である必要はなく、ビルトイン型であってもよい。
【００６４】
また例えば、収容器具は上記のものに限らず、食器乾燥器や食器棚等に光透過性材料や照明を利用することによって、食器具及び調理器具に光触媒作用を発現させることも可能である。
【符号の説明】
【００６５】
１・１ａ・１ｂ：収容器具、１０：フレーム、１１：底部、１１ａ：底部、１１ｂ：側部、１２：係止部、１３：係止部、１４：箸立て、１５：照明、２・２ａ：収容器具、２０：フレーム、２１ａ：幹部、２１ｂ：枝部、２２：台座、２５：照明、２６：スイッチ、３・３ａ：収容器具、３０：筐体、３１：上面、３２：穴、３３：底面、３５：照明、３６：スイッチ、４・４ａ・４ｂ：収容器具、４０：洗浄漕、４１：風口、４２：洗浄ノズル、４３：排水口、４４：ガイドレール、４５：照明、４６：蓋、４７：窓、４８：噴射口、９１：コップ、９２：皿、９３：箸、９４：刃物。
【図１】
0003187470.tif 000003
【図２】
0003187470.tif 000004
【図３】
0003187470.tif 000005
【図４】
0003187470.tif 000006
【図５】
0003187470.tif 000007
【図６】
0003187470.tif 000008
【図７】
0003187470.tif 000009
【図８】
0003187470.tif 000010
【図９】
0003187470.tif 000011
【図１０】
0003187470.tif 000012
【図１１】
0003187470.tif 000013
【図１２】
0003187470.tif 000014
【図１３】
0003187470.tif 000015